(57)【要約】【課題】  指針表示式電子時計は、正確な時刻を刻む実用品としての側面と同時に、個性化に伴うファッション時計としての側面を有しており、生活にゆとりを与えるようなよりユニークな時計の開発が望まれていた。【解決手段】  通常時刻表示状態において第１ステップモーター４により秒針６、２１、分針７、２２、時針８、２３を駆動し、第２ステップモーター９により副針１１、２０を駆動させ、前記副針１１，２０は１秒間で１／ｎ秒ステップで運針し１秒間で１動作することにより副針１１、２０と秒針６、２１の連係動作を電気的に制御することで極めてユニークな時計を構成することが出来る。【選択図】      図２
2005098764.tif 000002
【特許請求の範囲】
【請求項１】
時針、分針、秒針及び副針を有する指針表示式電子時計において、少なくとも秒針を駆動する第１ステップモーターと、副針を駆動する第２ステップモーターを有し、通常時刻表示状態において、前記第１ステップモーターを駆動して秒針を１秒ステップで運針させると共に、前記第２ステップモーターを駆動して前記副針を１／ｎ（但し、ｎは整数）秒ステップにて円形の副針目盛り上を１秒間に１回転させることを特徴とする指針表示式電子時計。
【請求項２】
前記副針が副針目盛り上を１回転する毎に同期して前記秒針を１秒運針させたことを特徴とする請求項１に記載の指針表示式電子時計。
【請求項３】
時針、分針、秒針及び副針を有する指針表示式電子時計において、少なくとも秒針を駆動する第１ステップモーターと、副針を駆動する第２ステップモーターを有し、通常時刻表示状態において、前記第１ステップモーターを駆動して秒針を１秒ステップで運針させると共に、前記第２ステップモーターを駆動して前記副針を１／ｎ（但し、ｎは整数）秒ステップにて扇状の副針目盛り上をｍ秒間に１往復させることを特徴とする指針表示式電子時計。
【請求項４】
前記副針が副針目盛り上を１往復する毎に同期して前記秒針を１秒運針させたことを特徴とする請求項３に記載の指針表示式電子時計。
【発明の詳細な説明】
【技術分野】
【０００１】
本発明は、指針式表示電子時計の指針の運針形態に関するものである。
【背景技術】
【０００２】
従来より電子時計は、その表示形態として指針によって時刻を表示するアナログ方式と、電子光学的表示装置によって時刻を数字表示するデジタル方式とがあることは良く知られている。また、指針表示式電子時計は、時針、分針、秒針の３針を時計の中心に配置した時計と、秒針のみを時計中心部より離間した位置に配置したいわゆる小秒針付きの２針表示式時計等、様々なバリエーションがあることも良く知られている。ユーザーはこれらのバリエーションの中から、各自の好みに合わせて選択購入することが出来る。
【０００３】
ところで、上記のような指針表示式電子時計の指針の運針形態や指針位置の配置を変えた時計に関しては、従来より多くの出願を見るところである。（例えば特許文献１参照）
【０００４】
以下に従来の指針表示式電子時計構造について図面を用いて説明する。図４は従来の指針表示式電子時計を示す外観図である。図において、３３は時針、３０は分針、３１は６時側の位置に配置され１秒ステップ運針で通常時刻の秒を表示する間欠運針秒針、３２は前記間欠運針秒針とは異なり連続的に運針する連続運針秒針であり、通常時刻の秒表示は２種類の運針形態で表示する電子時計を構成している。
【０００５】
上記の電子時計は、電子回路からの駆動信号に基づいてロータが１秒に１８０°回転すると、ロータから変換車を構成する主動車までの減速比が３０に設定されているので主動車は１秒に６°回転し、前記主動車に取り付けられている間欠運針秒針３１は１秒ステップ運針で６°ずつ回転する。更に前記変換車からは回転制御機構を構成し定速で回転するオイルロータにより、連続運針秒針３２が取り付けられている四番車は回転制御を受けながら滑らかな連続的な回転により１秒で６°ずつ回転し連続運針秒針３２を駆動させている。
【０００６】
【特許文献１】特開平１−１６５９８６号公報（第４頁、第１図−３図）
【発明の開示】
【発明が解決しようとする課題】
【０００７】
しかしながら指針表示式電子時計は、常に正確な時刻を刻む実用品としての側面と同時に、個性化に伴うファッション時計としての側面を有している。
ところが近年は、時計としてのデザインだけでなく、生活にゆとりを与える後者のようなユニークな指針の配置や指針の運針形態が変わったおもしろい時計の要求も多く、間欠運針の秒針と連続運針の秒針を備えた電子時計では、従来の時計の領域を出るものではなく、興趣のある時計とは言えなかった。そこでユ−ザ−からは、よりユニークな時計の開発が望まれていた。
【０００８】
本発明の目的は、上記課題を解決しようとするもので、従来の電子時計に対して指針の運針形態が異ったユニークな時計を提供することにある。
【課題を解決するための手段】
【０００９】
上記目的を達成するための本発明の要旨は、時針、分針、秒針及び副針を有する指針表
示式電子時計において、少なくとも秒針を駆動する第１ステップモーターと、副針を駆動する第２ステップモーターを有し、通常時刻表示状態において、前記第１ステップモーターを駆動して秒針を１秒ステップで運針させると共に、前記第２ステップモーターを駆動して前記副針を１／ｎ（但し、ｎは整数）秒ステップにて円形の副針目盛り上を１秒間に１回転させることを特徴とするものである。
【００１０】
このように前記第１ステップモーターを駆動して秒針を１秒ステップで運針させると共に、前記第２ステップモーターを駆動して副針を１／ｎ秒ステップにて円形の副針目盛り上を１秒間に１回転させることにより、１秒以下の時間をユーザーが容易に視認できようになり、１秒以下の単位から１秒単位への時間の移り変わりが分かりやすく表示できるユニークな指針表示式電子時計を提供することができる。
【００１１】
また、前記副針が副針目盛り上を１回転する毎に同期して前記秒針を１秒運針させたことを特徴とするものである。
【００１２】
副針が副針目盛り上を１回転する毎に同期して秒針を１秒運針させることにより、副針と秒針の動きが機械的に連動されているように見える新しい表現の指針表示式電子時計を提供することができる。
【００１３】
また、時針、分針、秒針及び副針を有する指針表示式電子時計において、少なくとも秒針を駆動する第１ステップモーターと、副針を駆動する第２ステップモーターを有し、通常時刻表示状態において、前記第１ステップモーターを駆動して秒針を１秒ステップで運針させると共に、前記第２ステップモーターを駆動して前記副針を１／ｎ（但し、ｎは整数）秒ステップにて扇状の副針目盛り上をｍ秒間に１往復させることを特徴とするものである。
【００１４】
このように、第２ステップモーターを駆動して副針を１／ｎ秒ステップにて扇状の副針目盛り上をｍ秒間に１往復させることで従来の電子時計に対し、指針の運針形態の全く異った指針表示式電子時計を実現することができる。
【００１５】
また、前記副針が副針目盛り上を１往復する毎に同期して前記秒針を１秒運針させたことを特徴とするするものである。
【００１６】
副針が副針目盛り上を１往復する毎に同期して前記秒針を１秒運針させることにより、従来の電子時計には無かった時間の経過を積み重ねてゆくような時間の流れを演出するユニークな指針表示式電子時計を提供することができる。
【発明の効果】
【００１７】
上記のごとく本発明によれば、通常時刻を表示する時針・分針と、１秒ステップで運針する秒針と、１／ｎ秒（ｎは整数）ステップで１秒間で１回転の速さで運針する副針を駆動する第２ステップモーターより構成されたことで、従来の電子時計に対して指針の運針形態が全く異った時計となり、時刻を知る時計として使用するばかりでなく、ストップウオッチ等に見られるような１秒以下の時間を常に表示しているのでミクロ的な時間の流れが演出できる時計を実現することが可能となった。
【００１８】
また、本発明の指針表示式電子時計の構造では、１／ｎ秒ステップ（ｎは整数）で扇形駆動しｍ秒（ｍは整数）で往復運針する副針と、前記副針を駆動する第２のステップモーターより構成されたことにより、従来の電子時計に対して指針の動きがとてもユニークなおもしろ時計を実現することが可能となった。
【発明を実施するための最良の形態】
【００１９】
以下図面により本発明の実施の形態を詳述する。図１及び図２は、いずれも本発明の一実施の形態を示すものであり、図１は時計システム概略図、図２は指針表示式電子時計の外観図である。図３は他の実施の形態を示す指針表示式電子時計の外観図である。
【実施例１】
【００２０】
まず、本発明の構成を図に基づいて説明する。図１に示すごとく、１は時計の電源である電池、２は基準発振器、３は発振回路３ａ、分周回路３ｂ、駆動回路３ｃ、及び波形整形回路３ｄからなる回路ブロック、４は回路ブロック３から駆動信号を受けて電気機械変換を行う２極ステップモーターを構成している第１ステップモーター、５は通常時刻を表示する秒針６、分針７、時針８を回転させる指針車（図示していない）を駆動する指針輪列、９は回路ブロック３から駆動信号を受ける電気機械変換を行う２極ステップモーターを構成している第２ステップモーター、１０は１秒間で１回転する副針１１を取り付けた指針車（図示していない）を駆動する指針輪列である。
【００２１】
図２に示す指針表示式電子時計は、基準発振器２の信号を基に、回路ブロック３にてモーター駆動信号が整形されて第２ステップモーター９に駆動信号が出力され、６時位置側に配置されている副針１１は円形の副針目盛りである４分割目盛り１３上を１／４秒ステップ運針にて１秒間で１回転する。副針１１が１回転すると回路ブロック３から第１ステップモーター４に駆動信号が出力され、ローター（図示していない）が１秒間で１８０°回転する。前記ローターから減速輪列を構成している指針輪列５を介して秒針６は１秒ステップ運針にて６０秒間で文字板１２上を１回転するよう構成されている。
【００２２】
上記副針１１は、文字板１２に印した円形の副針目盛りである４分割目盛り１３上を０．２５秒の回転速度で運針し、時計中心に位置した秒針６は副針１１が副針目盛り１３上を１回転する毎に同期して１秒分の運針をするようにさせており、副針１１と秒針６の動きが機械的に連動されているように見える指針表示式電子時計とすることができる。
【００２３】
以下に本発明の作用を説明する。まず図２に示す指針表示式電子時計は通常時刻表示状態において、副針１１は０．２５秒／ステップで１秒間に４ステップの速度で駆動され、文字板１２に印された円形の副針目盛りである４分割目盛り１３上を運針する。副針１１はこれらの目盛り１３の位置で極短時間ではあるが停止し０．２５秒という非常に短い時間を示すことになる。次に秒針６は副針１１が１回転／１秒で駆動する動きに同期して１秒歩進させるように回転する。更に秒針６に同期して駆動する分針７と時針８は、指針輪列５により秒針６が６０秒を経過したときに分針７が６°回転し、又、分針７が６０分を経過したときに時針８が３０°回転するように構成されている。
【００２４】
なお、本実施例では、副針１１を１／４秒ステップで運針させていたが、もちろん１／５秒ステップでも、１／１０秒ステップでも、１／２０秒ステップで運針させても良いことは明らかであり、１／ｎ秒（但し、ｎは整数）ステップのｎの値に関しては電子時計の仕様に合わせて自由に設定できる。さらに、本実施例のように、副針１１を１／４秒ステップで運針すると、９０°間隔のシンメトリーな位置に目盛りがあるので副針１１の運針状態が分かり易くミクロ的な時間の流れを読みやすいという効果がある。
【実施例２】
【００２５】
次に、本発明の他の実施の構成を図に基づいて説明する。時計システムは前述した実施例１と同じ構成である。図３に示すごとく、２０は１秒間で文字板２４の扇状の副針目盛りである４分割目盛り２５の範囲を往針し、次の１秒間で復針する副針、２１は通常時刻を表示する秒針であり、２２は分針、２３は時針である。
【００２６】
図３に示す指針表示式電子時計は、基準発振器２の信号を基に、回路ブロック３にてモーター駆動信号が整形されて第２ステップモーター９に駆動信号が出力され、６時位置側に配置されている副針２０が扇状の副針目盛りである４分割目盛り２５を１往針すると第１ステップモーター４の駆動信号が出力され、ローター（図示していない）を１秒間で１８０°を回転させる。ローター（図示していない）から減速輪列を構成している指針輪列５を介して秒針６は１秒ステップ運針にて６０秒間で１回転するよう構成されている。
【００２７】
上記副針２０は、０．２５秒の回転速度で文字板２４に印した扇状の副針目盛りである４分割目盛り２５に沿って運針し、１秒間で１往針し次の１秒で復針するように構成されている。また時計中心に配置している秒針２１は、副針２０が１秒間で時計回転方向に往針すると、その動きに同期して１秒分の運針をし、次の１秒間で副針２０が反時計回転方向に復針する動きに同期して、１秒分の運針をするように構成されているので副針２０と秒針２１の運針が機械的に連動されているように見えることができる。
【００２８】
以下に本発明の作用を説明する。まず図３に示す指針表示式時計は通常時刻表示状態において、副針２０は扇状の副針目盛りである４分割目盛り２５上を０．２５秒／ステップで１秒間に４ステップの回転速度で時計回転方向に駆動され、次の１秒で反時計回転方向に駆動して戻るような反復運針を行う。該副針２０は文字板２４に印した扇形形状した４分割の目盛り２５の位置で極短時間ではあるが停止し０．２５秒という非常に短い時間を示すことになる。次に秒針２１は副針２０が１秒間で１往針、又は１復針する動きに同期して１秒歩進させるように回転する。更に秒針６に同期して駆動する分針７と時針８は、指針輪列５により秒針６が６０秒を経過したときに分針７が６°回転し、又、分針７が６０分を経過したときに時針８が３０°回転するように構成されている。
【００２９】
なお、本実施例では、副針２０を１／４秒ステップで運針させていたが、もちろん１／５秒ステップでも、１／１０秒ステップでも、１／２０秒ステップで運針させても良いことは明らかであり、１／ｎ秒（但し、ｎは整数）ステップのｎの値に関しては電子時計の仕様に合わせて自由に設定できる。さらに、本実施例のように、副針２０を１／４秒ステップで運針すると、２の２乗という最もシンプルナな運新形態なので副針２０の動きが読み易く視覚的に分かり易いという効果がある。
【００３０】
以上のように、通常時刻表示状態において、１秒ステップで運針する秒針２１と、１／ｎ秒（ｎは整数）ステップで１秒間で１回転の速度で駆動する副針２０を駆動するように構成したことで、従来の電子時計に対して１秒以下の時間をユーザーが容易に視認でき１秒以下の単位から１秒単位への時間の移り変わりが分かりやすく表示できる為、従来の電子時計とは全く異った指針表示式電子時計を提供することができる。
【００３１】
更に、１／ｎ秒ステップ（ｎは整数）の副針２０の駆動方法を１秒で往針し、次の１秒で復針させ文字板２４の４分割目盛り２５を扇形表示としたことで、従来の電子時計に対して指針の運針形態を全く異った時計を実現することが可能となった。
【００３２】
このように、１秒未満のステップで駆動する副針２０と１秒ステップで駆動する秒針２１の動きとを関連付け、副針２０が１秒に到達したときに秒針２１が１秒歩進するという指針の連係動作を作り上げることで、従来の電子時計には無かった時間の経過を積み重ねてゆくような時間の流れを演出することができるユニークな指針表示式電子時計を提供できる。
【００３３】
さらに、本実施例では、時針８、２３、分針７、２２及び秒針６、２１を第１ステップモーターで駆動していたが、時針８、２３、分針７、２２をさらに別モータで駆動するように構成すれば、多機能の指針表示式電子時計を構成することができる。すなわち、クロ
ノモードと、アラームモードと、タイマーモードを有する多機能の指針表示式電子時計においては、クロノモードにおいては、時針８、２３、分針７、２２をクロノ時とクロノ分、秒針６、２１をクロノ秒、副針１１を１／４クロノ秒として使用し、アラームモードにおいては時針８、２３、分針７、２２をアラームの時分、秒針６、２１をアラームＯＮ・ＯＦＦ表示に使用し、タイマーモードにおいては時針８、２３、分針７、２２をタイマーの時分、秒針６、２１をタイマー秒として使用する等、多機能の指針表示式電子時計として構成することが可能であり、このような多機能の指針表示式電子時計における通常時刻表示状態においても、本願発明の第２ステップモーターを駆動して副針を１／ｎ（但し、ｎは整数）秒ステップにて円形の副針目盛り上を１秒間に１回転させたり、扇状の副針目盛り上をｍ秒間に１往復させたりする表現が可能となる。
【図面の簡単な説明】
【００３４】
【図１】本発明の一実施の形態を示す時計システム概略図である。
【図２】本発明の一実施の形態を示す指針表示式電子時計の外観図である。
【図３】本発明の他の実施の形態を示す指針表示式電子時計の外観図である。
【図４】従来の電子時計を示す外観図である。
【符号の説明】
【００３５】
３  回路ブロック
４  第１ステップモーター
６、２１  秒針
９  第２ステップモーター
１１、２０  副針
１３  円形の副針目盛り
２５  扇状の副針目盛り
【図１】
2005098764.tif 000003
【図２】
2005098764.tif 000004
【図３】
2005098764.tif 000005
【図４】
2005098764.tif 000006